(57)【要約】【課題】放送受信装置において、スケジュール情報に応じて、ユーザがＴＶ番組の録画予約や視聴予約を容易にでき、所望のＴＶ番組の見逃しを防ぐ。【解決手段】ユーザがリモコン装置を操作して、ＥＰＧ画面の表示を指示すると（Ｓ１）、ＴＶ受像機は、ＥＰＧ画面表示部を用いて、取得したＥＰＧ情報の内容とデータ放送情報の内容とを、同一の時間軸に関連付けてＥＰＧ画面を生成する（Ｓ３）。そして、ＴＶ受像機は、スケジュール情報を取得した後（Ｓ４）、選択許可部を用いて、スケジュール情報に格納されている外出日時と放送日時が重なるＴＶ番組について、録画予約のみを選択可能にする（Ｓ５）。すなわち、外出日時と放送日時が重なるＴＶ番組について、視聴予約不可にする。そして、ＴＶ受像機は、選択許可部による選択許可の結果に基づいて、ＥＰＧ画面をディスプレイに表示する（Ｓ６）。【選択図】図８
2014011506.tif 000002
【特許請求の範囲】
【請求項１】
電子番組情報を取得する番組情報取得手段と、
スケジュール情報を入力するための予定情報入力手段と、
前記予定情報入力手段によって入力された前記スケジュール情報の内容に基づいて、前記番組情報取得手段によって取得された前記電子番組情報内の番組の録画予約又は視聴予約のいずれかの選択を許可する選択許可手段とを備える放送受信装置。
【請求項２】
前記選択許可手段は、
前記電子番組情報内の番組の放送日時と、前記スケジュール情報内の外出日時とが重なる場合に、この番組の録画予約を許可し、
前記電子番組情報内の番組の放送日時と、前記スケジュール情報内の外出日時とが重ならない場合に、この番組の視聴予約を許可することを特徴とする請求項１に記載の放送受信装置。
【請求項３】
前記電子番組情報内の番組の視聴予約の日時と、前記スケジュール情報内の外出日時とが重なる場合、又は前記電子番組情報内の番組の録画予約の日時と、前記スケジュール情報内の外出日時とが重ならない場合に、その旨をユーザに通知する通知手段をさらに備えることを特徴とする請求項１に記載の放送受信装置。
【請求項４】
時間軸に関連付けられたデータ放送情報を取得するデータ放送情報取得手段と、
前記番組情報取得手段によって取得された前記電子番組情報の内容と、前記データ放送情報取得手段によって取得された前記データ放送情報の内容とを、同一の時間軸に関連付けて表示する表示手段とをさらに備えることを特徴とする請求項１乃至３のいずれか一項に記載の放送受信装置。
【請求項５】
前記予定情報入力手段によって入力された前記スケジュール情報の内容に基づいて、前記番組情報取得手段によって取得された前記電子番組情報内の番組についての視聴予約を録画予約に変更するか、又は／及び、前記電子番組情報内の番組についての録画予約を視聴予約に変更する予約変更手段をさらに備えることを特徴とする請求項１乃至４のいずれか一項に記載の放送受信装置。
【請求項６】
ある日時における前記データ放送情報の内容が所定の条件を満たす場合に、この日時における前記電子番組情報内の番組についての視聴予約を録画予約に変更するか、又は／及び、この日時における前記電子番組情報内の番組についての録画予約を視聴予約に変更する第２の予約変更手段をさらに備えることを特徴とする請求項４又は５に記載の放送受信装置。
【請求項７】
前記データ放送情報には、時間軸に関連付けられた天気、降水確率、乾燥、潮位、及び紫外線の強さの情報のうちの少なくとも１つが含まれることを特徴とする請求項４乃至６のいずれか一項に記載の放送受信装置。
【発明の詳細な説明】
【技術分野】
【０００１】
本発明は、ユーザによる番組の録画予約や視聴予約が可能な放送受信装置に関する。
【背景技術】
【０００２】
従来から、ＥＰＧ（電子番組表）を表示可能なテレビジョン（以下、ＴＶ）受像機が知られている。ユーザは、ＥＰＧ画面に表示されたＴＶ番組を選択することにより、そのＴＶ番組に対して録画予約や視聴予約を行うことができる。
【０００３】
ところで、近年、ユーザのスケジュール情報を入力可能なＴＶ受像機が知られている（例えば、特許文献１及び２参照）。スケジュール情報とは、例えば、「３月１２日１０：００〜１３：００にＡさんと映画鑑賞」という情報である。この種のＴＶ受像機では、ＥＰＧ画面に、番組情報とスケジュール情報とを同時に表示することができる。その結果、ユーザは、スケジュール情報を見ながらＴＶ番組の録画予約や視聴予約を行うことができる。しかしながら、この種のＴＶ受像機では、ユーザによるスケジュール情報の見落としや操作ミスによって、外出予定である日時に放送されるＴＶ番組の視聴予約をしてしまうことがある。その場合、ユーザは外出しているため、所望のＴＶ番組を視聴することができない。また、録画もされていないため、帰宅後に、このＴＶ番組を視聴することもできない。
【先行技術文献】
【特許文献】
【０００４】
【特許文献１】特開２００２−１６８４４号公報
【特許文献２】特開２００１−３２６８６６号公報
【特許文献３】特開２００９−１１６８４５号公報
【特許文献４】特開２００９−１０５６７１号公報
【特許文献５】特開２００６−２１７２３１号公報
【発明の概要】
【発明が解決しようとする課題】
【０００５】
上記問題に対して、特許文献３には、複数の情報群の中から抽出された複数の提示情報を、１の表示画面上に表示させ、ユーザが、希望する情報を短時間かつ少ない操作で取得することができるようにする情報提示装置が開示されている。しかしながら、この情報提示装置は、ＴＶ番組の録画予約や視聴予約をするものではないため、ユーザが所望のＴＶ番組を見逃してしまうことを防ぐことができないので、上記問題を解決できない。
【０００６】
また、特許文献４には、放送予定番組に代えて放送される予備番組の時間帯およびチャンネルを指定した録画予約を受け付けて記憶する予約処理部と、ＥＰＧを取得するＥＰＧ取得部と、取得したＥＰＧにおいて予備番組が放送されるように変更されたか否か監視するＥＰＧ監視部と、予備番組が放送される場合に録画予約に従って録画機器に録画を指示する録画制御部とを備え、放送予定番組が中止となった場合にその代替えとして放送される予備番組を録画予約する携帯端末が開示されている。しかしながら、この携帯端末は、放送予定番組が中止となった場合にその代替え番組を録画予約するものであるため、外出予定の日時に放送されるＴＶ番組を誤って視聴予約してしまうことを防ぐことができない。従って、ユーザが所望のＴＶ番組を見逃してしまうことを防ぐことができないので、上記問題を解決できない。
【０００７】
また、特許文献５には、取得したデータ放送情報とＥＰＧ情報とに基づいて、日時に従ってデータ放送情報が付加された電子番組表を作成して映像出力することにより、電子番組表とデータ放送情報とを同一表で同時に視認することができるデジタル放送受信装置が開示されている。しかしながら、このデジタル放送受信装置は、ＴＶ番組の録画予約や視聴予約をするものではないため、ユーザが所望のＴＶ番組を見逃してしまうことを防ぐことができないので、上記問題を解決できない。
【０００８】
本発明は、上述した問題点を解決するためになされたものであり、スケジュール情報の内容に応じて、ユーザがＴＶ番組の録画予約や視聴予約を容易にすることができ、ユーザによる所望のＴＶ番組の見逃しを防ぐことができる放送受信装置を提供することを目的とする。
【課題を解決するための手段】
【０００９】
上記目的を達成するために請求項１の発明は、電子番組情報を取得する番組情報取得手段と、スケジュール情報を入力するための予定情報入力手段と、前記予定情報入力手段によって入力された前記スケジュール情報の内容に基づいて、前記番組情報取得手段によって取得された前記電子番組情報内の番組の録画予約又は視聴予約のいずれかの選択を許可する選択許可手段とを備える放送受信装置である。
【００１０】
また、請求項２の発明は、請求項１に記載の放送受信装置において、前記選択許可手段は、前記電子番組情報内の番組の放送日時と、前記スケジュール情報内の外出日時とが重なる場合に、この番組の録画予約を許可し、前記電子番組情報内の番組の放送日時と、前記スケジュール情報内の外出日時とが重ならない場合に、この番組の視聴予約を許可するものである。
【００１１】
また、請求項３の発明は、請求項１に記載の放送受信装置において、前記電子番組情報内の番組の視聴予約の日時と、前記スケジュール情報内の外出日時とが重なる場合、又は前記電子番組情報内の番組の録画予約の日時と、前記スケジュール情報内の外出日時とが重ならない場合に、その旨をユーザに通知する通知手段をさらに備えるものである。
【００１２】
また、請求項４の発明は、請求項１乃至３のいずれか一項に記載の放送受信装置において、時間軸に関連付けられたデータ放送情報を取得するデータ放送情報取得手段と、前記番組情報取得手段によって取得された前記電子番組情報の内容と、前記データ放送情報取得手段によって取得された前記データ放送情報の内容とを、同一の時間軸に関連付けて表示する表示手段とをさらに備えるものである。
【００１３】
また、請求項５の発明は、請求項１乃至４のいずれか一項に記載の放送受信装において、前記予定情報入力手段によって入力された前記スケジュール情報の内容に基づいて、前記番組情報取得手段によって取得された前記電子番組情報内の番組についての視聴予約を録画予約に変更するか、又は／及び、前記電子番組情報内の番組についての録画予約を視聴予約に変更する予約変更手段をさらに備えるものである。
【００１４】
また、請求項６の発明は、請求項４又は５に記載の放送受信装において、ある日時における前記データ放送情報の内容が所定の条件を満たす場合に、この日時における前記電子番組情報内の番組についての視聴予約を録画予約に変更するか、又は／及び、この日時における前記電子番組情報内の番組についての録画予約を視聴予約に変更する第２の予約変更手段をさらに備えるものである。
【００１５】
また、請求項７の発明は、請求項４乃至６のいずれか一項に記載の放送受信装において、前記データ放送情報には、時間軸に関連付けられた天気、降水確率、乾燥、潮位、及び紫外線の強さの情報のうちの少なくとも１つが含まれるものである。
【発明の効果】
【００１６】
本発明によれば、ユーザによって入力されたスケジュール情報の内容に基づいて、電子番組情報内の番組の録画予約又は視聴予約のいずれかの選択を許可する。そのため、例えば、ユーザが、予定情報入力手段を用いて、外出のスケジュール情報を入力したときに、このスケジュール情報に基づいて、その外出予定の日時に放送される番組に対して録画予約のみの選択が許可される。その結果、ユーザが、外出予定の日時に放送される番組について、誤って視聴予約を選択してしまうことを防ぐことができるので、所望のＴＶ番組の見逃しを防ぐことができる。
【図面の簡単な説明】
【００１７】
【図１】本発明の第１の実施形態に係るＴＶ受像機とリモコン装置とを示す斜視図。
【図２】上記ＴＶ受像機の内部構成を示すブロック図。
【図３】上記ＴＶ受像機のメモリに格納される情報を示すブロック図。
【図４】上記ＴＶ受像機の制御部の内部構成を示すブロック図。
【図５】上記ＴＶ受像機に表示されるＥＰＧ画面の一例を示す説明図。
【図６】上記ＴＶ受像機に表示されるＥＰＧ画面の別の例を示す説明図。
【図７】上記ＴＶ受像機に表示される外出日時設定画面の一例を示す説明図。
【図８】上記ＴＶ受像機におけるＥＰＧ画面の表示処理の手順を示すフローチャート。
【図９】上記ＴＶ受像機に表示されるＥＰＧ画面の一例を示す説明図。
【図１０】上記ＴＶ受像機における予約変更処理の手順を示すフローチャート。
【図１１】本発明の第２の実施形態に係るＴＶ受像機の制御部の内部構成を示すブロック図。
【図１２】上記ＴＶ受像機における予約変更処理の手順の一例を示すフローチャート。
【発明を実施するための形態】
【００１８】
以下、本発明の第１の実施形態に係るテレビジョン受像機（放送受信装置）について、図１乃至図４を参照して説明する。図１は、テレビジョン受像機（以下、ＴＶ受像機という）１と、このＴＶ受像機１を操作するためのリモコン装置（予定情報入力手段）４との外観を示し、図２は、ＴＶ受像機１の電気的ブロック構成を示す。図３は、メモリ１９に記憶される各情報を示し、図４は、制御部１０の構成を示す。
【００１９】
ＴＶ受像機１は、図２に示すように、アンテナ１１に接続され、デジタル放送信号を受信するチューナ部１２と、デコーダ部１３と、映像を表示するディスプレイ１４と、音声を出力するスピーカ１５とを備える。また、ＴＶ受像機１は、リモコン装置４から送信されたリモコン信号を受信するためのリモコン信号受信部１６と、ＴＶ番組を録画するためのハードディスク（以下、ＨＤＤという）１７と、ＨＤＤ１７に対するＴＶ番組の書き込みや読み出しを行うアクセス部１８と、メモリ１９と、制御部１０とをさらに備える。
【００２０】
リモコン装置４は、ユーザによって操作される複数の操作ボタンを有し、ユーザによって操作された操作ボタンに応じたリモコン信号をＴＶ受像機１に送信するものである。ユーザは、リモコン装置４を操作することにより、ＥＰＧ（電子番組表）画面の表示の指示や、ＴＶ番組の視聴予約の指示や、ＴＶ番組の録画予約の指示や、外出日時の設定等の各種操作を行うことができる。また、ユーザは、リモコン装置４を操作することにより、ユーザのスケジュール情報を入力することができる。
【００２１】
チューナ部１２は、アンテナ１１を介して、放送局から配信される各チャンネルのデジタル放送信号を受信する。デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２２】
映像デコード回路は、映像信号を含むＴＳパケットに対して復号化処理を行い、映像信号を抽出し、抽出した映像信号を制御部１０に出力する。音声デコード回路は、音声信号を含むＴＳパケットに対して復号化処理を行い、音声信号を抽出し、抽出した音声信号を制御部１０に出力する。
【００２３】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御部１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。また、データデコード回路は、データ放送情報のデータを抽出して、抽出したデータ放送情報のデータを制御部１０に出力する。
【００２４】
ディスプレイ１４は、チューナ部１２によって受信されたＴＶ番組や、ＨＤＤ１７から読み出されたＴＶ番組の映像を表示する。また、ディスプレイ１４は、ＥＰＧ画面を表示する。スピーカ１５は、チューナ部１２によって受信されたＴＶ番組の音声や、ＨＤＤ１７から読み出されたＴＶ番組の音声を出力する。
【００２５】
リモコン信号受信部１６は、リモコン装置４から受信したリモコン信号である赤外線信号を電気信号に変換して制御部１０に転送する。リモコン装置４から送信されるリモコン信号は、ユーザによって操作された操作ボタンに対応するリモコン信号である。
【００２６】
ＨＤＤ１７は、チューナ部１２によって受信されたＴＶ番組を録画する。アクセス部１８は、ＨＤＤ１７に対してＴＶ番組の書き込みや読み出しを行う。
【００２７】
メモリ１９は、図３に示すように、制御部１０を動作させるためのプログラム１９ａと、ＥＰＧ情報（電子番組情報）１９ｂと、データ放送情報１９ｃと、録画予約情報１９ｄと、視聴予約情報１９ｅと、スケジュール情報１９ｆとを記憶している。
【００２８】
ＥＰＧ情報１９ｂには、所定の日時に放送されるＴＶ番組の番組情報が格納されている。番組情報は、時間軸に関連付けられ、放送局から配信される各チャンネルに対応する放送局名や番組タイトル等を含むものである。
【００２９】
データ放送情報１９ｃには、時間軸に関連付けられた天気、降水確率、乾燥、潮位、及び紫外線の強さを含む情報が格納されている。具体的には例えば、データ放送情報１９ｃには、「今日の１３時から１４時までの降水確率が８０％」、「今日の１４時から１５時までの湿度が５０％」、「１４時から１５時までの湿度が５０％」等の情報が格納されている。
【００３０】
録画予約情報１９ｄには、ユーザによって録画予約が設定されたＴＶ番組の情報が格納されている。具体的には例えば、「３月３１日１３：００〜１４：００のチャンネル１を録画する」という情報である。視聴予約情報１９ｅには、ユーザによって視聴予約が設定されたＴＶ番組の情報が格納されている。具体的には例えば、「３月３１日１４：００〜１５：００のチャンネル２を視聴する」という情報である。
【００３１】
スケジュール情報１９ｆには、ユーザがリモコン装置４を操作して入力した予定情報が格納される。具体的には例えば、「４月１日１０：００〜１５：００に外出予定」という情報である。
【００３２】
制御部１０は、ＥＰＧ取得部（番組情報取得手段）１０ａと、データ放送情報取得部（データ放送情報取得手段）１０ｂと、ＥＰＧ画面表示部（表示手段）１０ｃと、選択許可部（選択許可手段）１０ｄと、予約変更部（予約変更手段）１０ｅと、通知部（通知手段）１０ｆとを有し、ＴＶ受像機１の各部を制御する。また、制御部１０は、ユーザによる指示操作に基づいて、ＴＶ番組をＨＤＤ１７に書き込む録画処理や、指定のチャンネルのＴＶ番組をディスプレイ１４及びスピーカ１５から出力する処理を行う。
【００３３】
ＥＰＧ取得部１０ａは、デコーダ部１３から出力されたＥＰＧ情報を定期的に取得し、メモリ１９に格納されているＥＰＧ情報１９ｂの内容を更新する。データ放送情報取得部１０ｂは、デコーダ部１３から出力されるデータ放送情報を取得し、メモリ１９に格納されているデータ放送情報１９ｃの内容を定期的に更新する。
【００３４】
ＥＰＧ画面表示部１０ｃは、ＥＰＧ取得部１０ａによって取得されたＥＰＧ情報１９ｂの内容と、データ放送情報取得部１０ｂによって取得されたデータ放送情報１９ｃの内容とを、同一の時間軸に関連付けてＥＰＧ画面を生成し、生成したＥＰＧ画面をディスプレイ１４に表示する。
【００３５】
選択許可部１０ｄは、ユーザによって入力されたスケジュール情報１９ｆの内容に基づいて、ＴＶ番組に対する録画予約又は視聴予約のいずれかの選択を許可する処理を行う。本処理の詳細は後述する。
【００３６】
予約変更部１０ｅは、ある日時におけるデータ放送情報１９ｃの内容が所定の条件を満たす場合に、この日時に放送されるＴＶ番組についての視聴予約を録画予約に変更したり、この日時に放送されるＴＶ番組についての録画予約を視聴予約に変更したりする予約変更処理を行う。本処理の詳細については後述する。
【００３７】
通知部１０ｆは、ＥＰＧ情報１９ｂ内のＴＶ番組における視聴予約の日時と、スケジュール情報１９ｆ内の外出日時とが重なる場合、又はＥＰＧ情報１９ｂ内のＴＶ番組における録画予約の日時と、スケジュール情報１９ｆ内の外出日時とが重ならない場合に、その旨をユーザに通知する通知処理を行う。具体的には例えば、通知部１０ｆは、ディスプレイ１４にメッセージを表示させたり、スピーカ１５から音を出力させたりすることにより、ユーザに通知する処理を行う。通知処理は、例えば、ユーザがＴＶ番組の視聴予約又は予約録画を行う時や、スケジュール情報１９ｆが入力される時に実行される。
【００３８】
次に、ＴＶ受像機１のディスプレイ１４に表示されるＥＰＧ画面について、図５及び図６を参照して説明する。
【００３９】
図５は、ディスプレイ１４に表示されるＥＰＧ画面の一例である。制御部１０は、ＥＰＧ取得部１０ａとデータ放送情報取得部１０ｂとを用いて、ＥＰＧ情報１９ｂの内容と、データ放送情報１９ｃの内容とを取得した後に、ＥＰＧ画面表示部１０ｃを用いて、これらの情報１９ｂ、１９ｃを同一の時間軸に関連付けたＥＰＧ画面を生成してディスプレイ１４に表示する。すなわち、ＥＰＧ画面には、ＥＰＧ情報１９ｂの内容と、データ放送情報１９ｃの内容とが同時に表示される。図５のＥＰＧ画面においては、符号５０がＥＰＧ情報１９ｂの内容であり、符号６０がデータ放送情報１９ｃの内容である。データ放送情報１９ｃの内容６０は、ユーザによって設定された任意の地域における、各時刻に対応する天気、降水確率、乾燥指数、潮位指数、及び紫外線の強さを表示している。ＥＰＧ情報１９ｂの内容５０とデータ放送情報１９ｃの内容６０とは、同一の時間軸に関連付けて表示されている。
【００４０】
データ放送情報１９ｃの内容６０は、ユーザによって設定された任意の地域の情報であり、例えば、ユーザが外出先の地域に変更することにより、外出先の地域の天気等を表示させることができる。また、データ放送情報１９ｃの内容６０として、ＴＶ受像機１の視聴エリアの情報を表示してもよい。
【００４１】
図６は、ディスプレイ１４に表示されるＥＰＧ画面の別の例である。制御部１０は、ＥＰＧ画面表示部１０ｃを用いて、図６に示すＥＰＧ画面をディスプレイ１４に表示することもできる。図６のＥＰＧ画面においては、符号７０がＥＰＧ情報１９ｂの内容であり、符号８０がデータ放送情報１９ｃの内容である。データ放送情報１９ｃの内容８０は、ユーザによって設定された任意の地域における、各時刻に対応する降水確率、乾燥指数、潮位指数、及び紫外線の強さを表示している。ＥＰＧ情報１９ｂの内容７０とデータ放送情報１９ｃの内容８０とは同一の時間軸に関連付けて表示されている。図６のＥＰＧ画面も、上記図５と同様に、データ放送情報１９ｃの内容８０として、任意の地域の情報を表示することができる。
【００４２】
次に、ＴＶ受像機１のディスプレイ１４に表示される外出日時設定画面について、図７を参照して説明する。図７は、ディスプレイ１４に表示される外出日時設定画面の一例である。外出日時設定画面には、外出日付欄Ｄ１１と、外出時間欄Ｄ１２、Ｄ１３と、ＯＫボタンＤ１４と、キャンセルボタンＤ１５とが設けられている。
【００４３】
ユーザは、リモコン装置４を操作して、外出日付欄Ｄ１１と、外出時間Ｄ１２、Ｄ１３とのそれぞれに外出予定の日時を入力して、ＯＫボタンＤ１４を選択することにより、予定を入力する。ユーザによって設定されたスケジュール情報は、制御部１０によって、メモリ１９のスケジュール情報１９ｆに格納される。図７の外出日時設定画面では、ユーザが「２０１２年３月２９日（木）１０：３０〜１１：３０に外出する」旨の予定を入力した場合の例である。
【００４４】
次に、外出日時が設定されている場合のＥＰＧ画面の表示について、図８及び図９を参照して説明する。図８は、ＥＰＧ画面の表示処理のフローチャートを示す。図９は、ディスプレイ１４に表示されるＥＰＧ画面の一例を示す。ここでは、予め、ユーザによって外出日時が設定されており、ユーザによって設定された外出日時の情報がスケジュール情報１９ｆに格納されているものとする。
【００４５】
まず、ユーザがリモコン装置４を操作して、ＥＰＧ画面の表示を指示すると（Ｓ１）、制御部１０は、ＥＰＧ画面表示部１０ｃを用いて、ＥＰＧ情報１９ｂとデータ放送情報１９ｃとを取得し（Ｓ２）、取得したＥＰＧ情報１９ｂの内容とデータ放送情報１９ｃの内容とを、同一の時間軸に関連付けてＥＰＧ画面を生成する（Ｓ３）。
【００４６】
そして、制御部１０は、スケジュール情報１９ｆを取得した後（Ｓ４）、選択許可部１０ｄを用いて、スケジュール情報１９ｆに格納されている外出日時と放送日時とが重なるＴＶ番組について、録画予約のみを選択可能にする（Ｓ５）。すなわち、外出日時と放送日時とが重なるＴＶ番組について、視聴予約不可にする。そして、ＥＰＧ画面表示部１０ｃは、選択許可部１０ｄによる選択許可の結果に基づいて、ＥＰＧ画面をディスプレイ１４に表示する（Ｓ６）。
【００４７】
図９は、上記Ｓ６でディスプレイ１４に表示されるＥＰＧ画面の一例である。ここでは、ユーザが「今日の１１：００〜１２：００に外出」とスケジュール情報１９ｆに格納されているものとする。「今日の１１：００〜１２：００」に放送されるＴＶ番組の表示欄には、視聴予約不可である旨を示す斜線が表示される。例えば、放送日時が今日の１０：３０〜１１：３０である番組Ａと、今日の１１：３０〜１２：３０である番組Ｂの表示欄には斜線が表示されている。ユーザは、表示欄に斜線が表示されているＴＶ番組について、視聴予約を選択することができない。すなわち、番組Ａ及びＢについて、ユーザは録画予約のみを選択可能である。一方、表示欄に斜線が表示されていないＴＶ番組（例えば、番組Ｃ）については、ユーザは、視聴予約と録画予約のいずれも選択することができる。
【００４８】
次に、上記予約変更処理について、図１０に示すフローチャートを参照して説明する。
【００４９】
まず、ユーザがＥＰＧ画面の中から所望のＴＶ番組を選択して視聴予約すると（Ｓ１１）、制御部１０は、ユーザによって視聴予約されたＴＶ番組の情報を、メモリ１９の視聴予約情報１９ｅに格納する（Ｓ１２）。
【００５０】
そして、ユーザによって外出日時が設定されると（Ｓ１３）、制御部１０は、予約変更部１０ｅを用いて、視聴予約されているＴＶ番組の放送日時と外出日時とが重なるか否かを判定し、重なる場合（Ｓ１４でＹＥＳ）、重なるＴＶ番組の視聴予約を録画予約に変更する（Ｓ１５）。そして、制御部１０は、通知部１０ｆを用いて、「視聴予約されているＴＶ番組の放送日時と外出日時とが重なっています」というメッセージをディスプレイ１４に表示させて、ユーザに通知する（Ｓ１６）。
【００５１】
上述したように、本実施形態に係るＴＶ受像機１においては、ユーザによって入力されたスケジュール情報１９ｆの内容に基づいて、ＥＰＧ情報１９ｂ内のＴＶ番組の録画予約又は視聴予約のいずれかの選択を許可する。そのため、例えば、ユーザによって外出の予定日時が入力されたスケジュール情報１９ｆの内容に基づいて、その外出の予定日時に放送されるＴＶ番組に対して録画予約のみの選択が許可される。その結果、ユーザが、外出予定の日時に放送されるＴＶ番組について、誤って視聴予約を選択してしまうことを防ぐことができるので、所望のＴＶ番組の見逃しを防ぐことができる。
【００５２】
また、本ＴＶ受像機１においては、上記図５及び図６に示したように、ＥＰＧ画面にＥＰＧ情報１９ｂの内容とデータ放送情報１９ｃの内容とが、同一の時間軸に関連付けられて、同一の画面に表示されるため、ユーザは、ＥＰＧ画面を見るだけで、天気、降水確率、乾燥指数、潮位指数、及び紫外線の強さ等の情報を容易に知ることができる。また、ユーザは、降水確率等の情報を確認しながら、外出予定を決めることができるため、外出予定の日時に放送されるＴＶ番組を容易に確認することができ、さらに、外出予定の日時に放送されるＴＶ番組に対して容易に録画予約を設定することができる。
【００５３】
また、本ＴＶ受像機１においては、ユーザによって外出日時が設定されると、視聴予約されているＴＶ番組の放送日時と外出日時とが重なるＴＶ番組がある場合に、重なるＴＶ番組の視聴予約を録画予約に変更する。そのため、ユーザは、ＴＶ番組を視聴予約から録画予約に手動で変更する必要がないので、視聴予約から録画予約に変更する操作をし忘れることを防ぐことができる。従って、ユーザは、所望のＴＶ番組の見逃しを防ぐことができる。また、視聴予約されているＴＶ番組の放送日時と外出日時とが重なるＴＶ番組がある場合や、録画予約されているＴＶ番組の放送日時と外出日時とが重ならない場合に、その旨をユーザに通知する。そのため、ユーザは、外出日時に視聴予約しているＴＶ番組や、外出しない日時に録画予約しているＴＶ番組を容易に知ることができるため、所望のＴＶ番組の見逃しを防ぐことができる。
【００５４】
なお、ＴＶ受像機１においては、ユーザによって、入力された外出日時が取り消しされたときに、録画予約されているＴＶ番組の放送日時と、取り消しされた外出日時とが重なるＴＶ番組がある場合に、重なるＴＶ番組の録画予約を視聴予約に変更する処理を行なってもよい。この場合、ユーザは、録画予約を視聴予約に手動で変更する必要がないため、録画予約を視聴予約に変更する操作をし忘れることを防ぐことができる。従って、ユーザは、所望のＴＶ番組の見逃しを防ぐことができる。
【００５５】
次に、本発明の第２の実施形態に係るテレビジョン受像機（以下、ＴＶ受像機という）について、図１１を参照して説明する。本実施形態に係るＴＶ受像機は、制御部１０が第２予約変更部（第２の予約変更手段）１０ｇをさらに有していること以外は、第１の実施形態に係るＴＶ受像機１と同様の構成である。本実施形態に係るＴＶ受像機１では、第１の実施形態と同じ構成を同じ符号で示し、その説明を省略する。
【００５６】
制御部１０は、第２予約変更部１０ｇを用いて、データ放送情報１９ｃの内容に基づいて、視聴予約されたＴＶ番組を録画予約に変更したり、録画予約されたＴＶ番組を視聴予約に変更したりする第２予約変更処理を行う。本処理の詳細については後述する。
【００５７】
次に、上記第２予約変更処理の一例について、図１２に示すフローチャートを参照して説明する。ここでは、予めユーザによってＴＶ番組の録画予約が設定されているものとする。
【００５８】
制御部１０は、データ放送情報１９ｃを取得した後（Ｓ３１）、第２予約変更部１０ｇを用いて、取得したデータ放送情報１９ｃの内容に基づいて、録画予約されているＴＶ番組の放送日時における降水確率が８０％以上であるか否かを判断する（Ｓ３２）。この判断の結果、降水確率が８０％以上であるとき（Ｓ３３でＹＥＳ）、制御部１０は、第２予約変更部１０ｇを用いて、ユーザによって録画予約されたＴＶ番組のうち、その放送日時における降水確率が８０％以上であるＴＶ番組を視聴予約に変更する（Ｓ３４）。
【００５９】
上述したように、本実施形態に係るＴＶ受像機１においては、ユーザによって予約録画がされたＴＶ番組に対して、そのＴＶ番組の放送日時の降水確率に応じて、録画予約から視聴予約に変更できる。そのため、ユーザが降水確率に応じて、外出を取り止めする場合であっても、ユーザが手動で予約設定を変更することなしに、ＴＶ番組の録画予約を自動的に変更することができる。なお、上記図１２では、降水確率が所定の条件を満たしたときに、ＴＶ番組の録画予約を変更する例を示したが、これに限られず、例えば、データ放送情報１９ｃに含まれる乾燥指数、潮位指数、及び紫外線の強さのいずれかが所定の条件を満たす場合に、ＴＶ番組の視聴予約や録画予約を変更するものであってもよい。
【００６０】
なお、本発明は、上記の各実施形態の構成に限られず、発明の趣旨を変更しない範囲で種々の変形が可能である。例えば、上記の各実施形態において、請求項に示す放送受信装置がＴＶ受像機である例を示したが、これに限られず、ＥＰＧ情報とデータ放送情報を取得可能であり、スケジュール情報を入力でき、ＴＶ番組を視聴予約及び録画予約可能な放送受信装置であればよい。
【００６１】
また、上記の各実施形態においてユーザは、携帯電話等からＩＲ信号（赤外線信号）を送信することにより、ＴＶ受像機にスケジュール情報を入力可能であってもよい。また、上記の各実施形態において、ＴＶ受像機がネットワークに接続可能であり、ユーザがパソコンや携帯電話等を操作することにより、ネットワークを経由して、スケジュール情報をＴＶ受像機に送信して、スケジュール情報を入力するものであってもよい。また、ＴＶ受像機は、気象庁等から雨が降り出した情報を受信したときに、ＴＶ番組の視聴予約や録画予約を変更するものであってもよい。
【００６２】
また、上記の各実施形態において、ＴＶ受像機は、データ放送情報１９ｃに含まれる降水確率等が所定の条件を満たしたときに、ＴＶ番組の録画予約や視聴予約を変更する例を示したが、これに限られず、例えば、雨でも外出するユーザの場合、降水確率が８０％以上であっても、ＴＶ番組の録画予約や視聴予約を変更しないものであってもよい。すなわち、ユーザの外出傾向に応じて、データ放送情報１９ｃに含まれる降水確率等が所定の条件を満たす場合であっても、ＴＶ番組の録画予約や視聴予約を変更しないものであってもよい。
【符号の説明】
【００６３】
１  ＴＶ受像機（放送受信装置）
４  リモコン装置（予定情報入力手段）
１０ａ  ＥＰＧ取得部（番組情報取得手段）
１０ｂ  データ放送情報取得部（データ放送情報取得手段）
１０ｃ  ＥＰＧ画面表示部（表示手段）
１０ｄ  選択許可部（選択許可手段）
１０ｅ  予約変更部（予約変更手段）
１０ｆ  通知部（通知手段）
１０ｇ  第２予約変更部（第２の予約変更手段）
１９ｂ  ＥＰＧ情報（電子番組情報）
１９ｃ  データ放送情報
１９ｆ  スケジュール情報
【図１】
2014011506.tif 000003
【図２】
2014011506.tif 000004
【図３】
2014011506.tif 000005
【図４】
2014011506.tif 000006
【図５】
2014011506.tif 000007
【図６】
2014011506.tif 000008
【図７】
2014011506.tif 000009
【図８】
2014011506.tif 000010
【図９】
2014011506.tif 000011
【図１０】
2014011506.tif 000012
【図１１】
2014011506.tif 000013
【図１２】
2014011506.tif 000014